(57)【特許請求の範囲】
【請求項１】
ハウジング（１）に設けられた電気駆動機構（Ａ）と、少なくとも一つのカッター要素（Ｓ）が装着された取り外し自在のフレーム（ＷＲ）が少なくとも一つの戻り止め機構（Ｒ）によって保持されたハウジング部品（Ｇ）とを含む電気髭剃機において、前記戻り止め機構（Ｒ）による保持から取り外されたときに、前記取り外し自在のフレーム（ＷＲ）は、保持装置（ＨＶ）によって保持位置にて移動自在に保持され、前記保持位置では、前記取り外し自在のフレーム（ＷＲ）の壁と前記ハウジング部品（Ｇ）の壁との間に少なくとも一つの距離（Ｗ、Ｗ１）が形成され、前記取り外し自在のフレーム（ＷＲ）は、前記駆動機構（Ａ）によって作動状態に設定されるようになっている、電気髭剃機。
【請求項２】
前記取り外し自在のフレーム（ＷＲ）は、前記保持装置（ＨＶ）によって取り外し自在に保持されている、請求項１に記載の電気髭剃機。
【請求項３】
前記取り外し自在のフレーム（ＷＲ）の保持位置では、ハウジング中央部分（１５）の壁と前記取り外し自在のフレーム（ＷＲ）の少なくとも一つのバー（３２、３３）の壁との間に距離（Ｗ）が形成される、請求項１又は２に記載の電気髭剃機。
【請求項４】
前記取り外し自在のフレーム（ＷＲ）の保持位置では、前記取り外し自在のフレーム（ＷＲ）の端壁（３４、３５）と前記ハウジング部品（Ｇ）の端壁（１３、１４）との間に距離（Ｗ）が形成される、請求項１乃至３のいずれかに記載の電気髭剃機。
【請求項５】
前記距離（Ｗ）は、前記取り外し自在のフレーム（ＷＲ）が前記ハウジング部品（Ｇ）から離れるように前記ハウジング部品（Ｇ）の少なくとも一つの壁を楔状に形成することによって形成される、請求項１乃至４のいずれかに記載の電気髭剃機。
【請求項６】
前記距離（Ｗ）は、前記取り外し自在のフレーム（ＷＲ）が前記ハウジング部品（Ｇ）から離れるように前記ハウジング部品（Ｇ）の少なくとも一つの壁及び前記取り外し自在のフレーム（ＷＲ）の隣接した壁を楔状に形成することによって形成される、請求項１乃至５のいずれかに記載の電気髭剃機。
【請求項７】
前記ハウジング部品（Ｇ）の少なくとも一つの端壁（１３、１４）は楔状の形体である、請求項１乃至６のいずれかに記載の電気髭剃機。
【請求項８】
前記取り外し自在のフレーム（ＷＲ）の少なくとも一つの端壁（３４、３５）は楔状の形体である、請求項１乃至７のいずれかに記載の電気髭剃機。
【請求項９】
前記取り外し自在のフレーム（ＷＲ）の少なくとも一つの端壁（３４、３５）及び前記ハウジング部品（Ｇ）の少なくとも一つの端壁（１３、１４）は楔状の形体である、請求項１乃至８のいずれかに記載の電気髭剃機。
【請求項１０】
前記電気駆動機構（Ａ）は、第１の連結要素（Ｋ）を介して少なくとも一つのカッター要素（Ｓ）に連結されるようになっており、更に、前記保持装置（ＨＶ）の第１の保持要素（２８、２９）および第２の保持要素（３０、３１）によって前記取り外し自在のフレーム（ＷＲ）に連結されるようになっている、請求項１乃至９のいずれかに記載の電気髭剃機。
【請求項１１】
前記保持装置（ＨＶ）によって保持された前記取り外し自在のフレーム（ＷＲ）は、駆動可能なカッター要素（Ｓ）によって作動状態に設定されるようになっている、請求項１乃至１０のいずれかに記載の電気髭剃機。
【請求項１２】
前記取り外し自在のフレーム（ＷＲ）の少なくとも一つの端壁（３４、３５）にはストップ（４０、４１）が設けられており、これらのストップには、駆動可能なカッター要素（Ｓ）によってパルス状に作用が加えられる、請求項１乃至１１のいずれかに記載の電気髭剃機。
【請求項１３】
前記取り外し自在のフレーム（ＷＲ）の少なくとも一つの外面（３８、３９）にはストップ（４２、４３）が設けられており、これらのストップは、前記ハウジング部品（Ｇ）の端壁（１３、１４）にパルス状に作用を加える、請求項１乃至１２のいずれかに記載の電気髭剃機。
【請求項１４】
前記保持装置（ＨＶ）は、互いに連結されるようになった前記第１の保持要素（２８、２９）と前記第２の保持要素（３０、３１）とによって形成されている、請求項１０に記載の電気髭剃機。
【請求項１５】
前記第１の保持要素（２８、２９）は、前記第１の連結要素（Ｋ）に設けられている、請求項１４に記載の電気髭剃機。
【請求項１６】
前記第２の保持要素（３０、３１）は、駆動可能なカッター要素（Ｓ）に設けられている、請求項１４または１５に記載の電気髭剃機。
【請求項１７】
前記第２の保持要素（３０、３１）は、駆動可能なカッター要素（Ｓ）の第２の連結要素（４６）に設けられている、請求項１４乃至１６のいずれかに記載の電気髭剃機。
【請求項１８】
前記第２の保持要素（３０、３１）は、フォーク状の形体である、請求項１４乃至１７のいずれかに記載の電気髭剃機。
【請求項１９】
前記第２の保持要素（３０、３１）のフォークアーム（５０、５１）は弾性である、請求項１４乃至１８のいずれかに記載の電気髭剃機。
【請求項２０】
前記フォークアーム（５０、５１）の開口部の領域には、フォーク開口部の幅を小さくする保持ビード（５５、５６）が設けられている、請求項１９に記載の電気髭剃機。
【請求項２１】
前記カッター要素（Ｓ）は、短毛カッターユニット（ＫＨＳ）の下カッター（２２）として形成されている、請求項１乃至２０のいずれかに記載の電気髭剃機。
【請求項２２】
前記カッター要素（Ｓ）は長毛カッターユニット（ＬＨＳ）の下カッター（４９）として形成されている、請求項１乃至２１のいずれかに記載の電気髭剃機。
【請求項２３】
前記第１の連結要素（Ｋ）は、駆動可能な第３の連結要素（１１）に連結されるようになっている、請求項１０、１４乃至２０のいずれかに記載の電気髭剃機。
【請求項２４】
前記第３の連結要素（１１）は、駆動運動を伝達するため、前記電気駆動機構（Ａ）の駆動ピン（１０）と係合するための溝（１２）を含む、請求項２３に記載の電気髭剃機。
【請求項２５】
前記戻り止め機構（Ｒ）は、少なくとも一つの弾性戻り止め要素（１８、１９）と、これらの戻り止め要素（１８、１９）と協働する少なくとも一つの戻り止めノッチ（２０、２１）とを含む、請求項１乃至２４のいずれかに記載の電気髭剃機。
【請求項２６】
前記戻り止め要素（１８、１９）には、ばね要素（５２）が作用するようになっている、請求項２５に記載の電気髭剃機。
【請求項２７】
前記戻り止め要素（１８、１９）は、前記ハウジング部品（Ｇ）に設けられている、請求項２５または２６に記載の電気髭剃機。
【請求項２８】
前記少なくとも一つの戻り止めノッチ（２０、２１）は、少なくとも一つのバー（３２、３３）に設けられている、請求項２５乃至２７のいずれかに記載の電気髭剃機。
【発明の詳細な説明】
【０００１】
本発明は、請求項１の従来技術部分に記載された種類の電気髭剃機に関する。
【０００２】
このような種類の電気髭剃機は、欧州特許第ＥＰ  ０  １６１  ５０８  Ｂ１号から知られている。カッター要素として作用する髭剃ホイルが取り外し自在のフレームに円弧状形態をなして取り付けられている。髭剃ホイルを含む取り外し自在のフレームは、ハウジング部品の二つの面の間に配置されており、端壁に設けられた戻り止め機構によって取り外し自在に保持される。取り外し自在のフレームを保持するハウジング部品は、電気髭剃機のハウジングの構成部品として形成されているか、あるいは、電気髭剃機のハウジングに着脱するようになった別体のハウジング部品として形成されているのがよい。
【０００３】
欧州特許第ＥＰ  ０  ６７３  ７２８  Ｂ１号から、ハウジング部品がハウジングに設けられた電気髭剃機が知られている。ハウジング部品の端壁の間には、二つのカッター要素を備えた取り外し自在のフレームが二つの戻り止め機構によって取り外し自在に保持される。これは、壊れた取り外し自在のフレームの交換と、完全なシェービングヘッドのクリーニング、詳細には取り外し自在のフレームの内壁と取り外し自在のフレームによって閉鎖されるハウジング部品の壁とによって形成される髭剃屑収集チャンバのクリーニングとの両方を行うためである。クリーニングには、適当なクリーニングブラシで行うカッター要素のクリーニングが含まれる。
【０００４】
この知られた電気髭剃機では、電気髭剃機のシェービングヘッドを幾つかの部品に分解することが必要である。例えば、取り外し自在のフレーム、下カッター、連結要素、及びシェービングヘッドのハウジング部品を含む、これらの部品を洗面所の洗面台に入れると、髭剃屑が散らばることによって汚してしまう。取り外し自在のフレームが取り外してあるが下カッターが係合した状態で使用者が電気髭剃機のスイッチを入れると、外れた髭剃屑が洗面台の大部分の領域に亘って散らばってしまう。
【０００５】
本発明の目的は、シェービングヘッドのクリーニングを行うことであり、特に、ハウジング部品及び取り外し自在のフレームによって形成された髭剃屑収集チャンバ及び設けられたカッター要素、特に下カッターとして用いられるカッター要素を、簡単に且つ最小の労力でクリーニングすることである。
【０００６】
本発明によれば、この目的は、冒頭に記載した種類の電気髭剃機で、請求項１の特徴部分に記載の特徴によって達成される。本発明のこの解決手段により、多くの利点が得られる。これらの利点には、例えば、最初に作動装置を作動させることによって取り外し自在のフレームをハウジング部品から外し、これに続いてフレームを保持装置で保持位置にて移動自在に保持し、この保持位置にて、取り外し自在のフレームの少なくとも一つの壁とハウジング部品の少なくとも一つの壁との間に少なくとも一つの距離を維持し、取り外し自在のフレームの移動性及び髭剃屑収集チャンバからの髭剃屑の落下の両方をこの距離によって確保することが含まれる。クリーニングをいつでも、例えば毎日行うことができるようにするため、シェービングヘッドの基本的なクリーニング動作には、ハウジング部品の壁、取り外し自在のフレームの壁、及びカッター要素にくっついた髭剃屑を、取り外し自在のフレームをハウジング部品から取り外す必要なしに、髭剃屑収集チャンバから除去する工程が含まれる。本発明は、取り外し自在のフレームが保持装置によって保持位置にて保持されているときに電気駆動機構を作動させることによって取り外し自在のフレームを作動状態に設定し、取り外し自在のフレームのこの作動及び取り外し自在のフレームを作動状態に設定する駆動要素により、取り外し自在のフレームの壁、カッターエレメント、及びハウジング部品の壁にくっついた髭剃屑を外し、又は可能な最大の程度まで外し、形成された距離から落下させ、これによって髭剃屑収集チャンバからの髭剃屑の除去を最適化する。
【０００７】
従って、本発明では、シェービングヘッドの基本的クリーニングを、取り外し自在のフレームを取り外したり、設けられた下カッターを駆動要素から取り外す等のような、シェービングヘッドを取り外す必要なしに行う。次いで、これらの部品をブラシ等を用いて手作業でクリーニングする。髭剃屑収集チャンバから、取り外し自在のフレームとハウジング部品の壁との間に形成された距離を通って落下する髭剃屑は、本発明によれば、例えば洗面台の小さな領域に集められ、水によって処分されるが、従来では、構成部品を置いて付着した髭剃屑を除去することにより、洗面台の幾つかの場所又は領域が汚れていた。
【０００８】
本発明のこのような実施の形態の別の特徴では、取り外し自在のフレームを保持装置によって取り外し自在に保持するための装置が設けられている。この装置は、使用中に壊れた取り外し自在のフレームの交換を行うため、及び髭剃屑収集チャンバの従来の通常のクリーニング作業を行うことができるようにするために設けられている。このようなクリーニング作業には、シェービングヘッドに設けられたカッター要素を、何等かの理由により必要な程度までクリーニングする作業が含まれる。
【０００９】
本発明の一実施の形態では、取り外し自在のフレームが保持位置にあるとき、ハウジング中央部分の壁と取り外し自在のフレームの少なくとも一つのバーの壁との間に距離が形成される。別の実施の形態は、取り外し自在のフレームが保持位置にあるとき、取り外し自在のフレームの端壁とハウジング部品の端壁との間に距離が形成されることを特徴とする。本発明の好ましい実施の形態によれば、ハウジング部品の壁及び取り外し自在のフレームの壁を異なるように成形することによって、距離を形成することができる。本発明の別の好ましい実施の形態によれば、取り外し自在のフレームがハウジング部品から離れるようにハウジング部品の少なくとも一つの壁を楔状に形成することによって、距離を形成することができる。本発明の別の実施の形態では、取り外し自在のフレームがハウジング部品から離れるようにハウジング部品の少なくとも一つの壁及びこの壁と隣接した取り外し自在のフレームの壁を楔状に形成することによって、距離を形成することができる。本発明の別の特徴では、ハウジング部品の少なくとも一つの端壁は、楔状の形体をなしている。最後に言及した実施の形態の別の特徴では、取り外し自在のフレームの少なくとも一つの端壁は楔状の形体をなしている。本発明の好ましい実施の形態では、取り外し自在のフレームの少なくとも一つの端壁及びハウジング部品の少なくとも一つの端壁は楔状の形体をなしている。ハウジング部品及び取り外し自在のフレームの隣接した壁による、上述した構造の重要な利点は、保持装置によって維持された保持位置にある取り外し自在のフレームを移動すること及び髭剃屑を髭剃屑収集チャンバから落下させることの両方で必要な距離を、ハウジング部品及び取り外し自在のフレームのそれぞれの壁の形状を適当に適合させるだけで、簡単に且つ経済的に形成することである。
【００１０】
髭剃屑を、髭剃屑収集チャンバを画成する壁から、及びカッター要素から迅速的に且つ効率的に取り除くため、本発明の一実施の形態は、電気駆動機構を連結要素を介して少なくとも一つのカッター要素に連結し、保持装置の協働保持要素によって取り外し自在のフレームに連結する。このようにして、電気駆動機構の作動による駆動運動を取り外し自在のフレームに伝達し、髭剃屑を取り除くためにフレームを揺動させる。
【００１１】
本発明の好ましい実施の形態では、保持装置によって保持された取り外し自在のフレームは、駆動可能なカッター要素によって作動状態に設定されるようになっている。
【００１２】
クリーニング効果を高めるため、本発明の一実施の形態では、取り外し自在のフレームの少なくとも一つの端壁にストップを形成し、駆動可能なカッター要素によってストップにパルス状に作用を加える。このストップにより、カッター要素の移動を取り外し自在のフレームに所定の方向でパルス状に伝達する。
【００１３】
本発明の別の実施の形態では、取り外し自在のフレームの少なくとも一つの外面にストップが設けられており、このストップがハウジング部品の端壁に、パルス状に作用を加える。この構成では、カッター要素が取り外し自在のフレームにパルス状に加える衝撃がハウジング部品に伝達され、これによって、髭剃屑がハウジング部品から有利な方法で取り除かれる。
【００１４】
本発明の別の実施の形態では、保持装置は、互いに連結されるようになった少なくとも二つの保持要素で形成される。本発明の別の特徴では、一方の保持要素が連結要素に設けられ、別の保持要素が駆動可能なカッター要素に設けられている。この最後に言及した実施の形態の別の特徴では、保持要素は、移動自在のカッター要素の連結要素に設けられている。好ましくは、この保持要素は、フォーク状の形体を備えている。本発明のこの実施の形態の別の特徴では、保持要素のフォークアームは弾性である。好ましくは、フォークアームの開口部の領域には、フォーク開口部の幅を小さくする保持ビードが設けられている。協働する保持要素のこのような構造の一つの大きな利点は、第１に、電気髭剃機の何等かの必要な構成要素に保持要素を形成するということを考えた構造の簡単さである。弾性フォークアーム間の領域により、シェービングヘッドのクリーニングに必要な取り外し自在のフレームの移動を行うことができ、取り外し自在のフレームとハウジング部品との間に所定の距離を形成できる。
【００１５】
本発明の大きな利点は、クリーニング機能を実行する上で必要な取り外し自在のフレームの移動がカッター要素によって行われ、この移動が、取り外し自在のフレーム及びハウジング部品が係止状態にある場合には、別の機能、即ち毛のカッティングを行う上で必要とされるということである。本発明の好ましい実施例では、カッターエレメントは、短毛カッターユニットの下カッターとして形成されている。変形例では、カッター要素は長毛カッターユニットの下カッターとして形成されている。
【００１６】
連結要素、及び取り外し自在のフレームをハウジング部品に取り外し自在に保持する戻り止め機構の設計に関するこの他の有利な構成は、請求項２３乃至２８から明らかになるであろう。
【００１７】
本発明の実施の形態を添付図面を参照して以下に詳細に説明する。
【００１８】
図１は、作動スイッチ２が前パネルに配置されるとともにトリマーユニットＴＳが調節自在に取り付けられたハウジング１を有する電気髭剃機ＴＲを示す。ハウジング１の底壁には、電源コードを連結するためのソケット３が設けられている。ハウジング１にはシェービングヘッドが着座しており、このシェービングヘッドのハウジング部品Ｇには、少なくとも一つのカッター要素Ｓを含む取り外し自在のフレームＷＲが取り外し自在に固定されている。シェービングヘッドのハウジング部品Ｇにはハウジングが二つの支持要素４及び５によって連結されている。支持要素４及び５は、ハウジング部品Ｇとともに矢印Ｐの方向で前後に移動するように、ハウジング１に取り付けられている。別の実施の形態では、支持要素４、５は、ハウジング１内又はハウジング１上に動かないように固定される。
【００１９】
図２は、ハウジング１から突出した支持要素４及び５と、ハウジング１内に配置された電気駆動機構Ａの駆動ピン１０とを通すための幾つかの穴７、８、９が上面６に設けられたハウジング１の上部分を示す。駆動ピン１０は、ハウジング部品Ｇに連結要素Ｋ（図３参照）を介して揺動するように取り付けられたカッター要素Ｓに対して、矢印Ｐの方向で往復動する駆動運動を伝達するため、連結要素１１の溝１２と係合する。ハウジング部品Ｇは、両側の二つの端壁１３、１４と、これらの端壁を支持するハウジング中央部分１５とを含む。二つの端壁１３及び１４の間には取り外し自在のフレームＷＲが戻り止め機構Ｒによって取り外し自在に保持されている。取り外し自在のフレームＷＲは、少なくとも一つのカッター要素Ｓ、及び／又は協働する二つのカッター要素を含む一つのカッターユニットを受け入れる。
【００２０】
図２の実施の形態では、シェービングヘッドのハウジング部品Ｇは、枢軸Ｚ−Ｚを中心として枢動するように支持要素４及び５に取り付けられている。これを行うため、支持要素４及び５は、シェービングヘッドが枢軸の領域で枢動ベアリング（図示せず）によって確実に枢動できるように端壁１３及び１４の内部に突出している。別の実施の形態では、シェービングヘッドのハウジング部品Ｇを、電気髭剃機のハウジング１にしっかりと固定してもよいし、ハウジングの構成部品（図示せず）として形成してもよい。支持要素４及び５は、ハウジング１にしっかりと固定されているか、あるいは、変形例では、少なくとも矢印Ｐの方向に移動するように取り付けられている。ハウジング部品Ｇには二つの押しボタン１６、１７が設けられており、これらのボタンは、それが作動されたとき、取り外し自在のフレームＷＲを取り外す目的で、その係止解除を可能にする。
【００２１】
図３は、シェービングヘッドの別の構成部材及びこれらの構成部材のハウジング部品Ｇでの配置を明らかにするため、ハウジング１の上部分を、ハウジング部品Ｇが上側に取り付けられているが取り外し自在のフレームＷＲが取り外してある状態で示す。戻り止め要素１８及び１９はそれぞれ、ハウジング中央部分１５の端壁１３及び１４と隣接して弾性的に取り付けられている。下カッター２２として形成されたカッター要素Ｓが、二つの端壁１３及び１４の間で連結要素Ｋに配置されている。連結要素Ｋは、ハウジング中央部分１５に移動自在に配置されており、駆動ピン１０の駆動運動を伝達するため、連結要素１１に連結されている。二つの保持要素２８及び２９が連結要素Ｋに設けられており、保持要素２８は端壁１４の方向に延びており、保持要素２９は端壁１３の方向に延びている。
【００２２】
図４は、ハウジング１の上部分を、ハウジング部品Ｇが上側に配置されており、取り外し自在のフレームＷＲが矢印Ｅの方向に取り外された状態で示す。取り外し自在のフレームＷＲの一つのバー３２及びこれに連結された外カッターを部分的に示す。取り外し自在のフレームＷＲは、保持要素２８及び２９によって保持された状態で示してある。保持要素２８、２９は、保持要素３０及び３１によって取り囲まれている。取り外し自在のフレームＷＲが非係止状態にある場合には、戻り止め要素１８、１９は、例えば図４に戻り止め要素１８及び戻り止めノッチ２０を破線で示すように、取り外し自在のフレームＷＲに設けられた戻り止めノッチ２０、２１から外れている。
【００２３】
取り外し自在のフレームＷＲは、本質的には、長さ方向即ち矢印Ｐの方向に延びる二つのバー３２及び３３と、これらのバー３２及び３３を連結する端壁３４及び３５と、バー３２、３３と端壁３４、３５との間に着座した少なくとも一つのカッター要素Ｓとを含む。端壁１３及び１４の内面３６及び３７、及び端壁３４及び３５の外面３８及び３９は、ハウジング中央部分１５の領域での端壁１３及び１４の相対的距離がカッター要素Ｓのレベルでの端壁１３及び１４の相対的距離よりも小さいように、電気髭剃機ＴＲの垂直方向中央軸線Ｖに対して楔状の形体をなして延びている。この形状により、取り外し自在のフレームＷＲがハウジング部品Ｇに係止された状態で、端壁３４及び３５が端壁１３及び１４の内面３６及び３７と接触するか、あるいはほぼ接触するという結果が得られる。取り外し自在のフレームＷＲが最初に保持要素２８乃至３１によって保持された係止解除状態では、端壁３４及び３５は、内面３６及び３７及びハウジング部品Ｇの長さ方向側壁５３、５４に対して小さな相対的距離Ｗのところにある（図８参照）。
【００２４】
端壁３４及び３５の各々には、内方に延びるストップ４０及び４１がそれぞれ設けられるとともに、外方に延びるストップ４２及び４３がそれぞれ設けられている。下カッター２２に近い方の側部に設けられたストップ４０及び４１の外形及び下カッター２２の長さ方向端部４４及び４５の形状、及び下カッター２２と協働する取り外し自在のフレームＷＲのストップ４０及び４１の位置は、取り外し自在のフレームＷＲがハウジング部品Ｇに係止された状態で、下カッターの揺動運動に悪影響を及ぼすことなく、ストップ４０及び４１を下カッター２２に滑り込ませることができるように、互いに対して調節される。
【００２５】
押しボタン１６、１７を操作することにより、取り外し自在のフレームＷＲの係止解除を行う。取り外し自在のフレームＷＲの戻り止めノッチ２０、２１を戻り止め要素１８、１９を越えて摺動させた後、保持要素２８、２９を部分的に支持する保持エレメント３０、３１の弾性アームによって、取り外し自在のフレームＷＲを所定の保持位置に移動自在にて保持する。
【００２６】
取り外し自在のフレームＷＲをひとたび保持位置に移動した後、取り外し自在のフレームＷＲの外面３８、３９の楔形状及び端壁１３、１４の内面３６、３７の楔形状が平行に延び、その結果、内面３６、３７とそれぞれの外面３８、３９との間に距離Ｗが画成される。各距離Ｗにより、髭剃屑が出たときにこれを通すことができる隙間が提供されるばかりでなく、取り外し自在のフレームＷＲの矢印Ｐの方向での初期前後移動を確保する。更に、ハウジング部品Ｇの長さ方向側壁５３、５４のうちの少なくとも一つと、取り外し自在のフレームＷＲのバー３２、３３のうちの少なくとも一つとの間には、髭剃屑を通すための少なくとも一つの他のスリット状の距離Ｗが形成される。
【００２７】
距離Ｗは、取り外し自在のフレームＷＲを係止位置から保持位置まで移行することにより形成されるスリット状の周囲隙間として形成されているのがよい。この隙間は、大きさが均等であってもよいし、寸法が異なっていてもよい。
【００２８】
取り外し自在のフレームＷＲを保持位置に移行することによって、二つのストップ４０、４１は下カッター２２に対して交互の位置をとる。この位置では、ストップ４０、４１は下カッターに進入しないようにされている。それぞれの長さ方向端部４４、４５のストップ４０、４１に対する距離Ｄは、電気駆動機構を駆動することによって下カッター２２を揺動したとき、下カッター２２の長さ方向端部４４、４５がストップ４０、４１にパルス状に作用を加え、取り外し自在のフレームＷＲを下カッター２２の運動方向即ち矢印Ｐの方向に、前後に即ち振るように移動するように寸法が定められる。下カッター２２によって取り外し自在のフレームＷＲに加えられたパルス状の衝撃により、比較的微細な髭剃屑が、取り外し自在のフレームＷＲの壁、下カッター２２、及びハウジング部品Ｇの壁から外れ、電気髭剃機ＴＲを水平に保持した状態で、例えば孔を通って、ハウジング部品Ｇと取り外し自在のフレームＷＲの壁との間に形成された距離Ｗが画成するスリットを通って外側に落下する。
【００２９】
取り外し自在のフレームＷＲが取り囲む全ての壁のクリーニングは、別の構成によって最適化することができる。これを行うため、外方に延びるストップ４２、４３を取り外し自在のフレームＷＲの端壁３４、３５に形成し、これらのストップにより、取り外し自在のフレームＷＲの外面３８、３９と端壁１３、１４の内面３６、３７との間の距離Ｗを隙間Ｗ１に減少する。この隙間の幅は、問題となるケース、本願ではシェービングヘッドの構造に適用できる実際上の配慮の下で決定され且つ定められるべきである。ストップ４２、４３は、クリーニングプロセスを行うことを目的とした振動を同様に発生させるため、揺動する下カッター２２によってストップ４０、４１に加えられた衝撃パルスをハウジング部品Ｇの端壁１３、１４に伝達する上で効果的である。
【００３０】
図５は、外カッターと連結要素を備えた下カッターとを含む長毛カッターユニットＬＨＳが、それぞれの短毛カッターユニットＫＨＳの円弧形態をなして取り付けられた二つの外カッター２５、２６の間に位置決めされた取り外し自在のフレームＷＲの斜視図を示し、更に、短毛カッターユニットＫＨＳ及び長毛カッターユニットＬＨＳのそれぞれの下カッターに駆動運動を伝達する連結要素Ｋを取り外し自在のフレームＷＲを保持する保持装置ＨＶとともに明らかにするため、バー３２、下カッター２２及び端壁３５の一部を切り欠いて示す。連結要素Ｋのハウジングの壁には、保持要素２８、２９が形成されており、これらの保持要素のうちの保持要素２９が示してある。電気髭剃機ＴＲの電気駆動機構Ａによって往復動されるようになっている連結要素Ｋは、二つの駆動要素４８（これらのうちの一方だけが示してある）を介して、取り外し自在のフレームＷＲに設けられた二つの短毛カッターユニットＫＨＳのそれぞれの下カッター２２に駆動関係で連結されており、短毛カッターユニットＫＨＳ間に位置決めされた長毛カッターユニットＬＨＳの下カッター４９に駆動要素４７及び連結要素４６を介して駆動関係で連結されている。フォーク状の連結要素４６の端部には、保持装置ＨＶがそれぞれ形成されており、フォーク端部の相対的距離は、これらが、保持要素２８及び２９を支持するとき、連結要素Ｋのハウジングの壁と係合するように寸法が定められている。保持装置ＨＶはビード型突出部がフォークアーム５０、５１の端部に形成されたフォーク状の構造をなしている。ビード型突出部は、保持ビード５５、５６としての性能において、互いから特定の相対距離だけ離間されている。保持要素３０及び３１のフォークアーム５０及び５１は弾性であり、これにより取り外し自在のフレームＷＲがハウジング部品Ｇから外れるようになっている。これは、フォークアーム５０及び５１の一体成形された保持ビード５５、５６を保持エレメント２８及び２９の寸法に従って弾性的に拡げることによって行われる。図５の実施の形態は、取り外し自在のフレームＷＲを、戻り止め要素１８及び１９が戻り止めノッチ２０及び２１から係合解除された図４の保持位置で示す。この保持位置では、フォークアーム５０及び５１によって形成され且つ保持ビード５５、５６によって境界付けられたスリットにより、連結要素Ｋによって駆動される取り外し自在のフレームＷＲ用の移動隙間が提供される。端壁３５には、ストップ４３が形成されており、このストップにより、取り外し自在のフレームＷＲの揺動運動をハウジング部品Ｇの端壁１３に伝達することができる。
【００３１】
図６は、連結要素Ｋ、この要素に連結された下カッター２２、及び取り外し自在のフレームＷＲの分解図であり、取り外し自在のフレームＷＲのバー３２及び端壁３５（図４及び図５を更に参照されたい）の一部を切り欠いて示す。長毛カッターユニットの下カッター４９用の駆動要素４７が、連結要素Ｋに連結されるとともに外カッター２５及び２６と関連した二つの下カッター２２の間に設けられている。カッター４９は、長毛カッターユニットを作動状態に設定するため、駆動要素４７に連結要素４６を介して連結されるようになっている。フォーク状の連結要素４６の端部には、フォークアーム５０及び５１を備えた保持装置ＨＶが一体成形されている。
【００３２】
図７は、ハウジング部品Ｇ内にて相対的に反対方向に移動することができる戻り止め要素１８、これらの戻り止め要素と関連した着座面２０、及び取り外し自在のフレームＷＲの領域でのハウジング部品Ｇの断面図を示す。この図に示す実施の形態では、取り外し自在のフレームＷＲは、短毛カッターユニットＫＨＳの外カッター２５及び２６及び長毛カッターユニットを受け入れる。取り外し自在のフレームＷＲの長さ方向に延びるバー３２、３３には、それぞれの戻り止め要素１８と係合するための少なくとも一つの傾斜した着座面を有する戻り止めノッチ２０、２１が形成されている（図５参照）。二つの戻り止め要素１８の間には、ばね要素５２が着座しており、このばね要素により、二つの戻り止め要素１８は係止位置に保持される。係止位置では、戻り止め要素は、ハウジング部品Ｇの長さ方向側壁５３及び５４のそれぞれから突出している。取り外し自在のフレームＷＲをハウジング部品Ｇから取り外すとき、戻り止めノッチ２０の傾斜面がハウジング部品Ｇから小さく突出した戻り止め要素１８に圧力を及ぼし、戻り止め要素をばね要素５２の圧力に抗してハウジング部品Ｇの内部に移動する。この移動は、バー３２及び３３が、形成された全ての戻り止め要素１８及び１９を通過して移動するまで、通過後に保持装置ＨＶが提供する保持位置（図５参照）に保持するため、行われる。
【００３３】
取り外し自在のフレームＷＲが保持位置ＨＶにある状態では、取り外し自在のフレームＷＲの戻り止めノッチ２０、２１は、ハウジング部品Ｇから突出した戻り止め要素１８、１９の上方にある（図８参照）。ハウジング部品Ｇ及び取り外し自在のフレームＷＲの隣接した壁を異なるように形成することによって、髭剃屑を通過させるための距離Ｗが、それぞれのバー３２、３３の壁とハウジング部品Ｇのハウジング中央部分１５のそれぞれの隣接した壁との間に形成される。
【００３４】
ハウジング中央部分１５の長さ方向側壁５３、５４は、楔状をなして、即ち垂直方向中央軸線Ｖに向かって所定の傾斜をなして延びており、カッター要素Ｓの方向にテーパしたハウジング中央部分１５の断面領域が形成される。取り外し自在のフレームＷＲのバー３２、３３の内壁はこれと形状が異なる。そのため、係止位置から保持位置への取り外し自在のフレームＷＲの移行時に、ハウジング部品Ｇの長さ方向側壁５３、５４のうちの少なくとも一方と取り外し自在のフレームＷＲのバー３２、３３の少なくとも一つの壁との間に距離Ｗが形成される。これは、例えば、バー３２、３３の壁を中央軸線Ｖと平行に（図示せず）、又は中央軸線Ｖに対して所定の傾斜をなして整合することによって行うことができる。後者の場合、楔角度βよりも小さい楔角度αがハウジング部品Ｇの長さ方向側壁５３、５４と垂直方向中央軸線との間に画成される（図７及び図８参照）。
【図面の簡単な説明】
【図１】  シェービングヘッド（ハウジング部品と、カッター要素を有する取り外し自在のフレームとを含む）がハウジング上に配置された、電気髭剃機の正面図である。
【図２】  取り外し自在のフレーム（ハウジング部分に係止された状態で示されている）を有するシェービングヘッドが上側に配置された、電気髭剃機のハウジングの上部分の図である。
【図３】  ハウジング部品が上側に配置されているが取り外し自在のフレームが設けられていない、電気髭剃機のハウジングの上部分の図である。
【図４】  シェービングヘッドが上側に配置されており、取り外し自在のフレームがハウジング部品から係止解除されているが依然として保持位置にある、電気髭剃機のハウジングの上部分の図である。
【図５】  それぞれの短毛カッターユニットの円弧形態をなして取り付けられた二つの外カッター間に長毛カッターユニットが設けられた取り外し自在のフレームの斜視図であり、バー、下カッター、及び取り外し自在のフレームの端壁の一部を切り欠いて示す。
【図６】  連結要素、この連結要素に連結された下カッター、及び取り外し自在のフレームの分解図であり、取り外し自在のフレームのバー及び端壁の一部を切り欠いて示す。
【図７】  戻り止め要素の領域及び取り外し自在のフレームに設けられた戻り止めノッチの領域でのハウジング部品の断面図である。
【図８】  取り外し自在のフレームを戻り止め要素から係合解除した位置で示す、ハウジング部品及び取り外し自在のフレームの断面図である。
【図１】
0004309058.tif 000002
【図２】
0004309058.tif 000003
【図３】
0004309058.tif 000004
【図４】
0004309058.tif 000005
【図５】
0004309058.tif 000006
【図６】
0004309058.tif 000007
【図７】
0004309058.tif 000008
【図８】
0004309058.tif 000009